(57)【要約】      （修正有）【課題】大きな音を出すことができ、応援情報を表示できる部分の面積が十分に広く、又形状的に目立つことによって、楽しく効果的に応援できるグッズとして使用できるハンドバルーンを提供する。【解決手段】気体を充填することによって手の形状に膨らむバルーンであって、親指部２、人差し指部３、中指部４、薬指部５、小指部６、手の甲部７、手の平部、手首部９、及び気体充填口１１を備える。ハンドバルーン１は、手の形状の２枚のプラスチックシートの外縁及び各指部の間をヒートシール１０する。ハンドバルーン１は、右手の形状のバルーンと左手の形状のバルーンとの一対のバルーンとすることが好ましく、該一対のバルーンは、互いに、ひも又はリボンでつなぎ合わされていてもよい。【選択図】図１
0003217228.tif 000002
【実用新案登録請求の範囲】
【請求項１】
気体を充填することによって手の形状に膨らむバルーンであって、親指部、人差し指部、中指部、薬指部、小指部、手の甲部、手の平部、手首部、及び気体充填口を備えることを特徴とするハンドバルーン。
【請求項２】
前記ハンドバルーンが、手の形状の２枚のプラスチックシートの外縁及び各指部の間をヒートシールしてなることを特徴とする請求項１に記載のハンドバルーン。
【請求項３】
前記ハンドバルーンが、右手の形状のバルーンと左手の形状のバルーンとの一対のバルーンであることを特徴とする請求項１又は請求項２に記載のハンドバルーン。
【請求項４】
前記一対のバルーンが、互いに、ひも又はリボンでつなぎ合わされていることを特徴とする請求項３に記載のハンドバルーン。
【考案の詳細な説明】
【技術分野】
【０００１】
本考案は、野球、サッカー等のスポーツ観戦；コンサート等の際に、応援グッズとして好適に用いられるハンドバルーンに関する。
【背景技術】
【０００２】
従来、各種スポーツの試合観戦等に際して、気体を充填して棒状に膨らませたスティックバルーンを振り上げたり、該バルーンどうしを打ち当てて音を出すことにより、楽しく応援することが行われている。また、このようなスティックバルーンに旗を取り付けて、その旗を振れるようにして、より楽しく応援できる応援グッズも提案されている（特許文献１参照）。
【先行技術文献】
【特許文献】
【０００３】
【特許文献１】実用新案登録第３１８２１７４号公報
【考案の概要】
【考案が解決しようとする課題】
【０００４】
しかしながら、上記スティックバルーンやこれに旗を取り付けたものでは、スティックバルーンどうしを打ち当てて音を出す場合に、打面の面積が狭いために、音が小さく、又チーム名や選手名等の応援情報を表示できる部分の面積が必ずしも十分に広いものではなかった。
【０００５】
そこで、本考案は、打面の面積が広いので、大きな音を出すことができ、応援情報を表示できる部分の面積が十分に広く、形状的にも目立つこと、音出し以外にも種々の応援態様を取ることができること等によって、更に楽しく効果的に応援できる応援グッズとして使用できるハンドバルーンを提供することを主たる目的とする。
【課題を解決するための手段】
【０００６】
上記目的を達成するため、本考案に係るハンドバルーンは、気体を充填することによって手の形状に膨らむバルーンであって、親指部、人差し指部、中指部、薬指部、小指部、手の甲部、手の平部、手首部、及び気体充填口を備えることを特徴とする。
【０００７】
前記ハンドバルーンは、手の形状の２枚のプラスチックシートの外縁及び各指部の間をヒートシールしてなることが好ましい。
【０００８】
前記ハンドバルーンは、右手の形状のバルーンと左手の形状のバルーンとの一対のバルーンとすることが好ましい。
【０００９】
前記一対のバルーンは、互いに、ひも又はリボンでつなぎ合わされていてもよい。
【考案の効果】
【００１０】
本考案に係るハンドバルーンは、例えば右手の形状のバルーンと左手の形状のバルーンとの手の平部及び各指部どうしを打ち当てて音を出す場合に、打面の面積が広いこと、又手の平部及び各指部の形状が適度な窪みを有しているので音が出やすいことから、大きな音を出すことができる。また、手の甲部や手の平部等にチーム名や選手名等の応援情報を表示できることから、応援情報の表示部分の面積が十分に広い。更に、大きな手の形状であるので、外観的に、非常に目立つ上に、音出し以外にも種々の応援態様を採ることができる。従って、本考案のハンドバルーンは、これを使用することによって、更に楽しく効果的に応援できるグッズとして使用できる。
【図面の簡単な説明】
【００１１】
【図１】本考案に係るハンドバルーンの一実施形態の図面代用写真であって、右手の形状のバルーンを、手の甲側から見た斜視図である。
【図２】本考案に係るハンドバルーンの一実施形態の図面代用写真であって、右手の形状のバルーンを、手の平側から見た斜視図である。
【図３】本考案に係るハンドバルーンの一実施形態の図面代用写真であって、右手の形状のバルーンの手首部を持ち手として、右手で持った状態を示した斜視図である。
【考案を実施するための形態】
【００１２】
本考案に係るハンドバルーンの実施形態について、図１〜図３を適宜参照しつつ、以下に説明する。尚、本考案において、手とは、手首から指先までの部分を意味する。
【００１３】
図１は、本考案に係るハンドバルーンの一実施形態の図面代用写真であって、右手の形状のバルーンを、手の甲側から見た斜視図である。図１において、本考案に係るハンドバルーン１は、気体充填口１１から気体を充填することによって手の形状に膨らんだバルーンであって、親指部２、人差し指部３、中指部４、薬指部５、小指部６、手の甲部７、手首部９及びヒートシール部１０を備えている。手首部９は、本考案ハンドバルーンの持ち手として、機能する。尚、本考案に係るハンドバルーンは、図１の如き右手の形状のバルーンであっても、これとは左右対称形の左手の形状のバルーンであってもよい。また、右手の形状のバルーンと左手の形状のバルーンとの一対のバルーンであってもよい。
【００１４】
図１では現われないが、手の甲部７の裏側には、手の平部８を備えている。図２は、本考案のハンドバルーンの一実施形態の図面代用写真であって、図１の右手の形状のバルーンを、手の平側から見た斜視図である。図２において、本考案に係るハンドバルーン１においては、図１と同様に、各指部２〜６、手首部９、ヒートシール部１０及び気体充填口１１が表れているのに加えて、手の平部８が現れている。
【００１５】
図１及び図２で示される実施形態のハンドバルーンでは、各指部の間がいずれもヒートシール部を介して結合した状態であるが、他の実施形態として、親指部とその他の４つの指部との間が開いている形態であってもよい。この様な親指部を開いた形状のバルーンでは、人差し指部、中指部、薬指部及び小指部の各指部の間は、ヒートシール部を介して結合した状態であるが、親指部と人差し指部との間は開いており、親指部の周囲と人差し指部の親指側とは、手の形状の外縁として、ヒートシール部とされた状態となる。
【００１６】
本考案のハンドバルーンは、手の形状の２枚のプラスチックシートの外縁及び親指部、人差し指部、中指部、薬指部及び小指部の各指部の間をヒートシールしてなることによって、応援グッズとして使用する場合に十分な強度を有することになる。また、親指部を開いた形状のバルーンの場合は、人差し指部、中指部、薬指部及び小指部の各指部の間をヒートシールし、又親指部の周囲と人差し指部の親指側とは、手の形状の外縁として、ヒートシールしてなるが、この場合にも、応援グッズとしての強度は十分である。また、外縁の内、手首部の下端（末端）部分のヒートシールは、やや幅広のヒートシール部とすることによって、強度を確保することが好ましい。手首部の下端（末端）から中指部の先までの長さは、特に限定されないが、通常の人の手の大きさよりも大きくして目立たせるのが好ましく、例えば、２０〜７０ｃｍ程度であるのが好適である。
【００１７】
気体充填口１１は、逆止弁機能を持つ扁平パイプ形態のものであるのが好ましい。気体としては、通常、空気が用いられる。気体の充填は、気体充填口１１内に、エアパイプ例えばストローを差し入れて、空気を吹き込むことにより、容易に行うことができる。気体充填後にエアパイプが抜かれると、気体充填口１１はハンドバルーン１内の充填空気により両側から押圧される状態となって閉じ、逆止弁機能を発揮する。また、充填された気体を抜く場合は、気体充填口１１に、エアパイプを差し入れて、バルーンの膨らみ部分を押すことによって、容易に気体を抜くことができる。気体を抜くことによって、小さく折りたたむことができ、持ち運びや収納が容易になると共に、使用時には、再度、気体を充填することによって、手軽に使用することができる。
【００１８】
本考案のハンドバルーンは、右手の形状のバルーンと左手の形状のバルーンとのいずれか一方のみであってもよいが、右手の形状のバルーンと左手の形状のバルーンとの一対のバルーンとすることが、応援グッズとしての幅広い応援態様が可能となる点から、好ましい。この一対のバルーンは、首に掛けたりできる点から、ひもやリボン等で互いにつなぎ合わされていてもよい。
【００１９】
本考案のハンドバルーンは、例えば、以下の様にして、作製することができる。即ち、プラスチックシートに、グラビア印刷等の印刷法によって、例えば、各手指部や手の甲部又は手の平部の輪郭線、爪部分、地色の肌色等を印刷する。また、手の甲部、手の平部等となる部分に、チーム名や選手名等の応援情報を印刷しておくことによって、応援の楽しさや効果を向上させることができる。印刷を施した手の甲部側となるプラスチックシートと手の平部側となるプラスチックシートとを、印刷部分が外側になるように重ねて、手の形状の外縁及び各指部の間をヒートシールして、溶着させる。このヒートシール時に気体充填口をその充填口部分が外方に突出するようにして、通常、手首の末端側の２枚のシート間に、一体に装着固定する。その際には気体充填口に熱溶着しないスペーサーを入れて気体充填口自体がヒートシールにより閉じることがないようにし、ヒートシール後にそのスペーサーを抜き取る。次いで、ヒートシールされた２枚のプラスチックシートを、手の形状となるように、その外縁部をカットする。かくして、本考案のハンドバルーンを、容易に作製することできる。
【００２０】
プラスチックシートの材質としては、ヒートシールが可能である限りにおいて限定されないが、例えば、ポリエチレン、ポリプロピレン等のポリオレフィン樹脂、ナイロン等のポリアミド樹脂等の１種を単独で又は２種若しくはそれ以上を混合して用いるのが好ましい。
【００２１】
本考案のハンドバルーンは、スポーツ観戦やコンサート等の際に、例えば右手の形状のバルーンと左手の形状のバルーンとの手の平部及び各指部どうしを打ち当てて音を出す場合において、打面の面積が広いこと、又手の平部と各指部との境目部分や隣り合った各指部の間等の形状が適度な窪みを有しているので音が出やすいことから、大きな音を出すことができる。また、手の甲部、手の平部等の応援情報を表示できる部分の面積が十分に広い。更に、大きな手の形状であるので、外観的に、非常に目立つ上に、音出し以外にも種々の応援態様を採ることができる。従って、本考案のハンドバルーンは、これを使用することによって、楽しく効果的に応援できる応援グッズとして好適に使用できる。
【００２２】
図３は、本考案に係るハンドバルーンの一実施形態の図面代用写真であって、図１の右手の形状のバルーンの手首部を持ち手として、右手で持った状態を示した斜視図である。図３に示す様に、本考案のハンドバルーン１を用いて応援する場合には、通常、持ち手としての機能を有するバルーンの手首部を持つ。また、通常、右手の形状のバルーンは右手で、左手の形状のバルーンは左手で、左右のバルーンの手の平部を内側に向けて合わせることができるように、持つことが、応援がし易い点から、好ましい。
【００２３】
本考案のハンドバルーンを用いて、野球、サッカー等のスポーツ観戦；コンサート等の際に、応援する場合の応援態様としては、例えば、次の様な各種の態様を挙げることができる。例えば、右手の形状のバルーンと左手の形状のバルーンとを右手及び左手に持って、それぞれの手の平部及び各指部どうしを打ち当てて音を出して応援する「手たたき」応援；右手の形状のバルーンと左手の形状のバルーンとを、メガホン状態になるように、右手及び左手に持って、声を出して応援する「声出し」応援；ハンドバルーンを、少なくとも一方の手に持って、そのバルーンを振り上げて応援する「振り上げ」応援；右手の形状のバルーンと左手の形状のバルーンとを右手及び左手に持って、両手を上げた状態で、複数人によって、ウエーブを起こす様に上下に動かして応援する「ウエーブ」応援等の態様で、楽しく且つ効果的に応援することができる。
【００２４】
本考案は、上記実施形態に限定されず、本考案の趣旨を逸脱しない範囲において、種々の変更が可能である。
【符号の説明】
【００２５】
１  ハンドバルーン
２  親指部
３  人差し指部
４  中指部
５  薬指部
６  小指部
７  手の甲部
８  手の平部
９  手首部
１０  ヒートシール部
１１  気体充填口
【図１】
0003217228.tif 000003
【図２】
0003217228.tif 000004
【図３】
0003217228.tif 000005